(57)【特許請求の範囲】
【請求項１】
プロジェクターの支持状態を調整するための複数の調整操作部を備える支持装置に支持されるプロジェクターであって、
画像情報に応じて変調された光を投写して画像を表示する投写部と、
前記複数の調整操作部の位置を明示する説明図と、前記複数の調整操作部を調整した場合の投写画像の変化を表す複数のイラストとを表示させるガイド表示部と、
を備え、
前記ガイド表示部には、前記説明図の前記複数の調整操作部の位置と、前記複数のイラストとの対応が示され、
前記複数のイラストには、前記複数の調整操作部による前記支持状態の調整を行う際の順序を表す記号が付され、
前記記号は、プロジェクターの角度に係る支持状態を調整するための前記調整操作部を、プロジェクターの位置に係る支持状態を調整するための前記調整操作部より先に調整するように、前記複数のイラストに表示されていることを特徴とするプロジェクター。
【請求項２】
請求項１に記載のプロジェクターであって、
前記ガイド表示部は、前記説明図に示されている前記調整操作部と、当該調整操作部に対応する前記イラストの双方に、前記支持状態の調整を行う際の順序を表す記号を表示することを特徴とするプロジェクター。
【請求項３】
請求項１又は２に記載のプロジェクターであって、
前記ガイド表示部は、前記プロジェクターの支持状態を認識しやすくするためのテストパターンを表示することを特徴とするプロジェクター。
【請求項４】
請求項１〜３のいずれか一項に記載のプロジェクターであって、
前記説明図および前記複数のイラストを自動的に表示させるか否かを表す情報を記憶する記憶部と、
起動時に前記記憶部から前記情報を読み出して、前記情報に基づく制御を行う制御部と、
を備えたことを特徴とするプロジェクター。
【請求項５】
請求項１〜４のいずれか一項に記載のプロジェクターと、前記プロジェクターを支持する支持装置と、を備えた画像表示装置。
【発明の詳細な説明】
【技術分野】
【０００１】
本発明は、光源から射出された光を変調して投写するプロジェクター、及びこのプロジェクターを備えた画像表示装置に関する。
【背景技術】
【０００２】
光を変調して投写するプロジェクターを支持して、壁面や天井等に設置可能とする支持装置（天吊り装置）が知られている（例えば、特許文献１参照）。このような支持装置には、プロジェクターの支持状態（位置や傾き等）を調整するための調整機構が備えられており、ユーザーは、調整機構を操作することによって、表示される画像の位置、大きさ、形状等を調整（補正）することができる。
【先行技術文献】
【特許文献】
【０００３】
【特許文献１】特開２０１１−２６１０号公報
【発明の概要】
【発明が解決しようとする課題】
【０００４】
しかしながら、上記のような支持装置において、調整機構の操作は、慣れていないユーザーにとっては分かりにくく、簡単な操作ではない。このため、マニュアル（印刷物）を参照しながら作業しなければならない場合も多く、調整作業、即ちプロジェクターの設置作業に手間取ってしまうという問題を有している。
【課題を解決するための手段】
【０００５】
本発明は、上述の課題の少なくとも一部を解決するためになされたものであり、以下の形態又は適用例として実現することが可能である。
【０００６】
［適用例１］本適用例に係るプロジェクターは、プロジェクターの支持状態を調整するための複数の調整操作部を備える支持装置に支持されるプロジェクターであって、画像情報に応じて変調された光を投写して画像を表示する投写部と、前記複数の調整操作部による調整を案内するガイド画像を表示させるガイド表示部と、を備えたことを特徴とする。
【０００７】
このプロジェクターによれば、プロジェクターを支持する支持装置に備わる複数の調整操作部による支持状態の調整を案内するガイド画像を表示するため、ユーザーは、表示されるガイド画像を見ながら支持状態を調整することが可能となり、調整操作を容易に行うことが可能となる。
【０００８】
［適用例２］上記適用例に係るプロジェクターにおいて、前記ガイド画像は、前記複数の調整操作部の位置を明示するための説明図を含んでいることが望ましい。
【０００９】
このプロジェクターによれば、ガイド画像が、調整操作部の位置を明示するための説明図を含んでいるため、操作すべき調整操作部の位置を容易に認識することが可能となる。
【００１０】
［適用例３］上記適用例に係るプロジェクターにおいて、前記ガイド画像は、前記複数の調整操作部と、前記プロジェクターの支持状態に関わる複数の調整項目との対応を示す複数のイラストを含んでいることが望ましい。
【００１１】
このプロジェクターによれば、ガイド画像が、調整操作部と調整項目との対応を示す複数のイラストを含んでいるため、どの調整操作部を操作すれば、どの調整項目が調整されるのかを容易に認識することが可能となる。
【００１２】
［適用例４］上記適用例に係るプロジェクターにおいて、前記イラストは、前記調整項目を調整した場合の投写画像の変化を表していることが望ましい。
【００１３】
このプロジェクターによれば、調整項目を表すイラストが、調整項目を調整した場合の投写画像の変化を表しているため、投写画像を見ながら調整を行う場合に、調整すべき調整項目を容易に認識することが可能となる。
【００１４】
［適用例５］上記適用例に係るプロジェクターにおいて、前記ガイド画像は、前記説明図に示されている前記調整操作部と、当該調整操作部に対応する前記イラストの双方に、前記支持状態の調整を行う際の順序を表す記号が付されていることが望ましい。
【００１５】
このプロジェクターによれば、説明図内の調整操作部と、この調整操作部に対応するイラストの双方に、支持状態の調整を行う際の順序を表す記号が付されているため、調整操作部とイラストとの対応を容易に認識することが可能になるとともに、調整の操作手順を容易に認識することが可能となる。
【００１６】
［適用例６］上記適用例に係るプロジェクターにおいて、前記ガイド画像は、前記プロジェクターの支持状態を認識しやすくするためのテストパターンを含んでいることが望ましい。
【００１７】
このプロジェクターによれば、プロジェクターの支持状態を認識しやすくするためのテストパターンがガイド画像に含まれているため、支持状態の調整が一層容易になる。
【００１８】
［適用例７］上記適用例に係るプロジェクターにおいて、前記ガイド画像を自動的に表示させるか否かを表す情報を記憶する記憶部と、起動時に前記記憶部から前記情報を読み出して、前記情報に基づく制御を行う制御部と、を備えることが望ましい。
【００１９】
このプロジェクターによれば、起動時に自動的にガイド画像を表示させることができるため、支持装置の調整作業を効率的に行うことが可能となる。
【００２０】
［適用例８］本適用例に係る画像表示装置は、上記適用例に係るプロジェクターと、前記プロジェクターを支持する支持装置と、を備えたことを特徴とする。
【００２１】
この画像表示装置によれば、上記プロジェクターと同様の効果を得ることができる。
【図面の簡単な説明】
【００２２】
【図１】画像表示装置の概略構成を示す図であり、（ａ）は、正面図、（ｂ）は、側面図。
【図２】支持装置を示す斜視図。
【図３】支持装置を示す斜視図。
【図４】支持装置の分解斜視図。
【図５】保持機構の斜視図であり、（ａ）は、右側の斜め上方から見た図、（ｂ）は、左側の斜め上方から見た図。
【図６】プロジェクターの概略構成を示すブロック図。
【図７】第１実施形態において、電源がオンのときのプロジェクターの動作を説明するフローチャート。
【図８】ガイド画像を示す図。
【図９】第２実施形態において、電源がオンのときのプロジェクターの動作を説明するフローチャート。
【発明を実施するための形態】
【００２３】
（第１実施形態）
以下、第１実施形態の画像表示装置について、図面を参照して説明する。
【００２４】
〔全体構成〕
図１は、本実施形態の画像表示装置の概略構成を示す図であり、（ａ）は、正面図、（ｂ）は、側面図である。
図１（ａ）、（ｂ）に示すように、画像表示装置１００は、プロジェクター１と、支持装置２とを備えて構成されている。プロジェクター１は、壁面Ｗに配置されたスクリーンＳＣに光を投写して画像を表示するものであり、支持装置２は、スクリーンＳＣの上方で壁面Ｗに固定され、プロジェクター１を壁面Ｗから離間させて支持する。なお、これ以降、壁面Ｗに対する法線方向のうちプロジェクター１側から壁面Ｗに向かう方向を前方向（＋Ｙ方向）、壁面Ｗから離れる方向を後ろ方向（−Ｙ方向）とし、鉛直方向のうち重力に逆らう方向を上方向（＋Ｚ方向）、重力方向を下方向（−Ｚ方向）とし、壁面Ｗに向かって右側の方向を右方向（＋Ｘ方向）、左側の方向を左方向（−Ｘ方向）とする。
【００２５】
プロジェクター１は、投写光を広角化するための凹面ミラー１５（図６参照）を備えた短焦点型のプロジェクターであり、スクリーンＳＣに対して近距離から光を投写して大画面で画像を表示することができる。そして、図示するように、プロジェクター１は、上面１Ａが支持装置２によって支持されて、下面１Ｂに設けられた投写窓１Ｃから、斜め下側のスクリーンＳＣに向けて光を投写する。
【００２６】
〔支持装置の構成〕
図２及び図３は、支持装置２を示す斜視図であり、図２には、プロジェクター１を支持した状態の支持装置２が示されている。また、図４は、支持装置２の分解斜視図である。
図２〜図４に示すように、支持装置２は、ベース部５と、第１アーム６と、第２アーム７と、保持機構８を備えている。
【００２７】
ベース部５は、壁面Ｗに固定されて第１アーム６を支持するものであり、第１アーム６を昇降させるための駆動軸５７が装着される。ベース部５は、板金で形成された３つの矩形状の部材がネジ５１で連結された構成になっており、中央に位置するベース部本体５ａと、ベース部本体５ａの左側に連結された左側部材５ｂと、ベース部本体５ａの右側に連結された右側部材５ｃとを含んで構成されている。ベース部本体５ａ、左側部材５ｂ及び右側部材５ｃには、それぞれを壁面Ｗに固定するためのネジ（図示せず）が挿通される複数の孔５２が形成されている。
【００２８】
ベース部本体５ａは、壁面Ｗに沿って、即ちＸＺ平面に沿って配置される平面部５３を備えており、平面部５３の上下端及び左右端は、それぞれ−Ｙ方向に屈曲している。平面部５３の下端で屈曲する下面部５４には、駆動軸５７が装着される凹部５４ａが形成され、平面部５３の上端で屈曲する上面部５５には、駆動軸５７の先端が挿通される貫通孔５５ａが形成されている。
【００２９】
駆動軸５７は、長尺の六角ボルトであり、軸の外周には、ネジ溝（図示省略）が形成されている。駆動軸５７は、その先端が上面部５５の貫通孔５５ａから突出し、駆動軸５７の頭部５７ａが下面部５４の凹部５４ａの下側に位置するように、ベース部本体５ａに装着される。なお、駆動軸５７には、頭部５７ａと所定の距離を隔ててナット（ダブルナット）５８が螺合されており、駆動軸５７は、頭部５７ａとナット５８で下面部５４を挟むようにベース部本体５ａに装着される。
【００３０】
平面部５３の左右両端で屈曲する左右の一対の側面部５６には、上下方向に長い２つの長孔５６ａ，５６ｂが設けられている。長孔５６ａ，５６ｂは、上下方向に沿って直線上に並ぶように設けられており、長孔５６ａは、長孔５６ｂの上方に位置している。
【００３１】
第１アーム６は、ベース部５に取り付けられる基部６１と、基部６１から−Ｙ方向に突出するアーム支持部６６とを有しており、これらは板金で形成されている。第１アーム６は、駆動軸５７の回転によって、ベース部５に対して上下方向にスライド可能に構成されている。
【００３２】
基部６１は、ベース部本体５ａの平面部５３に対向する平面視矩形状の基部本体６２と、基部本体６２の左右端部から＋Ｙ方向に屈曲された側面部６３（図４参照）とを有している。また、基部本体６２の上端寄りには、アーム支持部６６の基端部が配置される矩形状の開口部６２ａが形成されている。
【００３３】
左右の側面部６３は、ベース部本体５ａの左右の側面部５６の内側に位置するように形成されている。左右の側面部６３には、ベース部本体５ａの長孔５６ａ，５６ｂからそれぞれ露出する２つの孔６３Ｈが設けられており、左右の側面部６３の内側には、孔６３Ｈに対応する位置にナット６３Ｎが固定されている。また、基部６１は、基部本体６２の上端から＋Ｙ方向に屈曲された上面部６４と、基部本体６２の下端から＋Ｙ方向に屈曲された下面部６５（図３参照）を有している。そして、この上面部６４と下面部６５には、駆動軸５７に挿通されて、その外周のネジに係合する孔６４Ｈ，６５Ｈ（孔６５Ｈについては不図示）が形成されている。
【００３４】
アーム支持部６６は、一方の端部（基端部）が基部６１の開口部６２ａに挿入され、他方の端部（先端部）が−Ｙ方向に突出するように基部６１に固定されている。アーム支持部６６は、ＸＹ平面に沿う底面部６７と、底面部６７の左右両端から上方向に起立する起立部６８と、底面部６７と略平行で、左右の起立部６８の上端から互いに近接する方向に屈曲された左右の上面部６９とを有している。そして、左右の上面部６９には、前後方向に沿って延出するガイド孔６９Ｈが形成されている。
【００３５】
第１アーム６は、上記のように構成されており、上面部６４及び下面部６５の孔６４Ｈ，６５Ｈに挿通した駆動軸５７とともにベース部本体５ａに装着され、案内ネジ３０及び固定ネジ４１が、ベース部本体５ａの長孔５６ａ，５６ｂを通って挿通されてベース部本体５ａに固定される。案内ネジ３０は、左側（−Ｘ側）の側面部５６の長孔５６ａ，５６ｂ、及び右側（＋Ｘ側）の側面部５６の下側の長孔５６ｂに挿通され、固定ネジ４１は、右側（＋Ｘ側）の側面部５６の上側の長孔５６ａに挿通される。
【００３６】
案内ネジ３０は、詳細な図示は省略するが、先端側にネジ溝が形成され、ネジ頭側の基端部は、ネジ溝が形成されていない円柱形状の非ネジ部が設けられている。案内ネジ３０は、この非ネジ部が長孔５６ａ，５６ｂの周縁部に当接して第１アーム６を案内する。
【００３７】
第１アーム６は、固定ネジ４１が緩められ、スパナー等によって駆動軸５７が回転されると、回転の方向に応じて上下方向にスライドする。第１アーム６は、スライドされる際に、案内ネジ３０の非ネジ部が長孔５６ａ，５６ｂの周縁部と摺動して滑らかに移動する。そして、第１アーム６は、固定ネジ４１が締められると、移動された位置に固定される。
【００３８】
第２アーム７は、板金製のアーム本体７１と、合成樹脂製の先端カバー７５とを備えている。第２アーム７は、第１アーム６に対して前後方向にスライド可能に形成され、スライドされることによって、第１アーム６に対する突出量が変更される。また、第２アーム７には、保持機構８が取り付けられる。
【００３９】
アーム本体７１は、アーム支持部６６の底面部６７、起立部６８、及び左右の上面部６９の内側にそれぞれ位置する底面部７２、起立部７３、及び左右の上面部７４を有し、アーム支持部６６に挿通される。
【００４０】
左右の上面部７４のそれぞれには、第１アーム６のガイド孔６９Ｈから露出し、案内ネジ３１及び固定ネジ４２（図４参照）が螺合する２つのネジ孔（図示省略）が、前後方向に並ぶように設けられている。そして、左右の上面部７４に２つずつ設けられたネジ孔のうち、前側（＋Ｙ側）のネジ孔には、案内ネジ３１が螺合され、後側（−Ｙ側）のネジ孔には、固定ネジ４２が螺合される。案内ネジ３１は、案内ネジ３０と同様に、先端側にネジ溝が形成され、ネジ頭側の基端部に非ネジ部が設けられている。
【００４１】
案内ネジ３１は、第２アーム７がスライドされる際に、この非ネジ部がガイド孔６９Ｈの周縁部に当接して第２アーム７を滑らかに案内する。固定ネジ４２は、所望の位置にスライドされた第２アーム７を固定する。
【００４２】
なお、案内ネジ３１及び固定ネジ４２は、第２アーム７が第１アーム６に挿通された後、ガイド孔６９Ｈから挿通されて上面部７４のネジ孔に螺合されるが、図４においては、第２アーム７と第１アーム６とが分解された状態において、案内ネジ３１及び固定ネジ４２が上面部７４のネジ孔に螺合された状態を示している。
【００４３】
また、左右の上面部７４には、保持機構８を取り付けるための３組のネジ孔７４ａ，７４ｂ，７４ｃが設けられている。これらのネジ孔７４ａ，７４ｂ，７４ｃは、この順序で前側（＋Ｙ側）から後側（−Ｙ側）に向かって配列されており、ネジ孔７４ａ，７４ｂ間の距離と、ネジ孔７４ｂ，７４ｃ間の距離は等しくなっている。
【００４４】
先端カバー７５は、支持装置２の美観や安全性を向上させるためのカバー部材であり、アーム本体７１の−Ｙ側端部に配置される。
【００４５】
第２アーム７は、上記のように構成されており、第１アーム６に挿通された後、第１アーム６のガイド孔６９Ｈから案内ネジ３１及び固定ネジ４２が挿通されて第１アーム６に固定される。第２アーム７は、固定ネジ４２が緩められることによってスライド可能となり、前述したように、スライドされる際には、案内ネジ３１の非ネジ部がガイド孔６９Ｈの周縁部と摺動して滑らかに移動する。そして、第２アーム７は、固定ネジ４２が締められると、移動された位置に固定される。
【００４６】
〔保持機構の構成〕
保持機構８は、第２アーム７に固定されて、プロジェクター１を支持するものであり、プロジェクター１の上面１Ａに固定される固定部材８１と、固定部材８１と第２アーム７とを連結する調整機構９とを備えている。
【００４７】
図５は、保持機構８の斜視図であり、（ａ）は、右側の斜め上方から見た図、（ｂ）は、左側の斜め上方から見た図である。
図５（ａ）、（ｂ）に示すように、固定部材８１は、板金で形成されおり、プロジェクター１の左右方向の位置を調整可能とするために、プロジェクター１に固定された状態で、調整機構９に対して左右方向にスライド可能に構成されている。
【００４８】
固定部材８１は、プロジェクター１の上面１Ａ（図２参照）と略平行に形成された底面部８１１と、底面部８１１の前後両端から上方向に起立する起立部８１２と、底面部８１１と略平行で、前後の起立部８１２の上端から互いに近接する方向に屈曲された前後の上面部８１３を有している。底面部８１１には、プロジェクター１の上面１Ａに設けられたネジ穴に対応する複数の挿通孔８１１Ｈが形成され、前側（−Ｙ側）の起立部８１２には、左右方向（±Ｘ方向）に沿う長孔８１２Ｈが形成されている。
【００４９】
固定部材８１は、底面部８１１の挿通孔８１１Ｈに固定ネジ４４（図２参照）が挿通され、プロジェクター１に固定される。そして、固定部材８１は、上面部８１３が調整機構９（後述する第１プレート９１）に係止され、調整機構９（第１プレート９１）に対して左右方向にスライド可能となっている。そして、固定部材８１は、長孔８１２Ｈに２つの固定ネジ４３が挿通されて調整機構９（第１プレート９１）に固定される。
【００５０】
調整機構９は、プロジェクター１の姿勢（傾き）の調整が可能に構成されている。具体的には、調整機構９は、Ｘ軸を中心とする回転方向の微調整（上下チルト調整）、Ｙ軸を中心とする回転方向の微調整（水平ロール調整）、及びＺ軸を中心とする回転方向の微調整（水平回転調整）が可能に構成されている。
【００５１】
調整機構９は、第１プレート９１、第２プレート９２、第３プレート９３、回転機構９４、第１シャフト９５、第２シャフト９６、第３シャフト９７及び３つのコイルバネ９８等を備えている。そして、第１シャフト９５、第２シャフト９６、第３シャフト９７の端部には、ダイヤル９５１、ダイヤル９６１、ダイヤル９７１がそれぞれ取り付けられている。
【００５２】
第１プレート９１、第２プレート９２及び第３プレート９３は、板金で形成されている。
第１プレート９１は、前述したように、固定部材８１がＸ方向にスライド可能に構成されている。第１プレート９１は、固定部材８１の上面部８１３が係止される平坦部９１１と、この平坦部９１１の−Ｙ側端部から下方に屈曲され、固定部材８１の−Ｙ側の起立部８１２の内側に位置する屈曲部９１２とを有している。そして、この屈曲部９１２には、固定部材８１の長孔８１２Ｈから露出する２つのネジ孔（図示省略）が形成されており、固定ネジ４３によって固定部材８１が固定される。
【００５３】
第２プレート９２は、第１プレート９１がＺ軸を中心として回転可能となるように、第１プレート９１の平坦部９１１の下方に接続される。
【００５４】
第３プレート９３は、調整機構９の上側の部位を構成するものであり、第２アーム７の上面部７４（図２参照）に固定される。第３プレート９３は、上面部７４に載置される載置部９３１と、載置部９３１の前後両端から上方に屈曲された一対の上屈曲部９３２と、載置部９３１の左右両端から下方に屈曲された一対の下屈曲部９３３とを有している。
【００５５】
載置部９３１には、ネジが挿通される２組の挿通孔９３ａｂ，９３ｂｃが設けられている。挿通孔９３ａｂ，９３ｂｃは、第２アーム７の３組のネジ孔７４ａ，７４ｂ，７４ｃ（図４参照）のうち、隣り合う２組のネジ孔に対応するように形成されている。つまり、保持機構８は、挿通孔９３ａｂ，９３ｂｃからネジ孔７４ａ，７４ｂが露出する位置（第１の取り付け位置）と、挿通孔９３ａｂ，９３ｂｃからネジ孔７４ｂ，７４ｃが露出する位置（第２の取り付け位置）のうち、所望の位置で第２アーム７に取り付けできるようになっている。
【００５６】
回転機構９４は、第３プレート９３の一対の下屈曲部９３３の間に配置され、第２プレート９２と第３プレート９３とを連結し、第２プレート９２が第３プレート９３に対してＸ軸及びＹ軸を中心として回転可能に構成されている。
【００５７】
詳細な説明は省略するが、第１シャフト９５は、中心軸がＹ方向に沿い、第１プレート９１及び第２プレート９２に設けられた屈曲部に架橋され、コイルバネ９８によって付勢されて配置される。第２シャフト９６は、中心軸がＸ方向に沿い、第２プレート９２及び回転機構９４に設けられた屈曲部に架橋され、コイルバネ９８によって付勢されて配置される。第３シャフト９７は、中心軸がＹ方向に沿い、第３プレート９３及び回転機構９４に設けられた屈曲部に架橋され、コイルバネ９８によって付勢されて配置される。上述したように、第１シャフト９５、第２シャフト９６、及び第３シャフト９７の端部にはそれぞれダイヤル９５１，９６１，９７１が取り付けられており、ユーザーは、ダイヤル９５１，９６１，９７１を回転操作することによって、それぞれ第１シャフト９５、第２シャフト９６、及び第３シャフト９７を回転させることができるようになっている。
【００５８】
保持機構８は、上記のように構成されており、第３プレート９３が第２アーム７の上面部７４の第１の取り付け位置、又は第２の取り付け位置のいずれかの位置に載置された後に、挿通孔９３ａｂ，９３ｂｃに挿通された固定ネジ４５（図２参照）によって第２アーム７の上面部７４に固定される。
【００５９】
〔支持装置の調整方法〕
ここで、図２及び図５を参照して、支持装置２の調整操作について説明する。
ユーザーは、固定ネジ４１を緩めた後で、駆動軸５７を回転させることにより、第１アーム６をベース部５に対して上下方向（±Ｚ方向）にスライドさせることができる。つまり、ユーザーは、固定ネジ４１及び駆動軸５７の操作によって、プロジェクター１の位置を±Ｚ方向に調整することが可能であり、この調整により、投写画像、即ち投写によって表示される画像を上下に移動させることができる。
【００６０】
また、ユーザーは、固定ネジ４２を緩めることにより、第２アーム７を第１アーム６に対して前後方向（±Ｙ方向）にスライドさせることができる。つまり、ユーザーは、固定ネジ４２の操作によって、プロジェクター１の位置を±Ｙ方向に調整することが可能であり、この調整により、投写画像のサイズを変化させることができる。具体的には、プロジェクター１が前方（スクリーンＳＣに近づく方向）に移動した場合には投写画像は縮小し、プロジェクター１が後方（スクリーンＳＣから離れる方向）に移動した場合には投写画像は拡大する。
【００６１】
また、ユーザーは、固定ネジ４３を緩めることにより、固定部材８１を調整機構９に対して左右方向（±Ｘ方向）にスライドさせることができる。つまり、ユーザーは、固定ネジ４３の操作によって、プロジェクター１の位置を±Ｘ方向に調整することが可能であり、この調整により、投写画像を左右に移動させることができる。
【００６２】
また、ユーザーは、ダイヤル９５１を回すことにより、第１プレート９１を第２プレート９２に対してＺ軸を中心として回転させることができる。そして、第１プレート９１に固定されている固定部材８１とともに、プロジェクター１もＺ軸を中心として回転し、プロジェクター１の水平回転調整が行われる。つまり、ユーザーは、ダイヤル９５１の操作によって、プロジェクター１のＺ軸周りの角度（傾き）を調整することが可能であり、この調整により、投写画像の左右方向の台形歪を補正することができる。
【００６３】
また、ユーザーは、ダイヤル９６１を回すことにより、第１プレート９１及び第２プレート９２を、回転機構９４に対してＹ軸を中心として回転させることができる。そして、第１プレート９１に固定されている固定部材８１とともに、プロジェクター１もＹ軸を中心として回転し、プロジェクター１の水平ロール調整が行われる。つまり、ユーザーは、ダイヤル９６１の操作によって、プロジェクター１のＹ軸周りの角度（傾き）を調整することが可能であり、この調整により、スクリーンＳＣ内での投写画像の回転（傾き）を補正することができる。
【００６４】
また、ユーザーは、ダイヤル９７１を回すことにより、第１プレート９１及び第２プレート９２を、回転機構９４に対してＸ軸を中心として回転させることができる。そして、第１プレート９１に固定されている固定部材８１とともに、プロジェクター１もＸ軸を中心として回転し、プロジェクター１の上下チルト調整が行われる。つまり、ユーザーは、ダイヤル９７１の操作によって、プロジェクター１のＸ軸周りの角度（傾き）を調整することが可能であり、この調整により、投写画像の上下方向の台形歪を補正することができる。
【００６５】
このように、支持装置２は、プロジェクター１の支持状態に関わる調整項目として、±Ｘ方向の位置、±Ｙ方向の位置、±Ｚ方向の位置、Ｘ軸周りの角度、Ｙ軸周りの角度、Ｚ軸周りの角度の６つの調整項目を調整可能になっている。そして、ユーザーは、固定ネジ４１，４２，４３、駆動軸５７、ダイヤル９５１，９６１，９７１を操作することによって、これらの調整項目を調整することができる。このため、固定ネジ４１，４２，４３、駆動軸５７、ダイヤル９５１，９６１，９７１は、プロジェクター１の位置や角度等の支持状態を調整するための調整操作部に相当する。具体的には、固定ネジ４１及び駆動軸５７は、±Ｚ方向の位置を調整するための調整操作部に相当し、固定ネジ４２は、±Ｙ方向の位置を調整するための調整操作部に相当し、固定ネジ４３は、±Ｘ方向の位置を調整するための調整操作部に相当する。また、ダイヤル９５１は、Ｚ軸周りの角度を調整するための調整操作部に相当し、ダイヤル９６１は、Ｙ軸周りの角度を調整するための調整操作部に相当し、ダイヤル９７１は、Ｘ軸周りの角度を調整するための調整操作部に相当する。
【００６６】
〔プロジェクターの構成〕
次に、プロジェクター１の構成について説明する。
図６は、プロジェクター１の概略構成を示すブロック図である。
図６に示すように、プロジェクター１は、投写部１０、制御部２０、入力操作部２１、画像情報入力部２２、画像処理部２３、光源制御部２４、電源回路２５等を備えている。
【００６７】
投写部１０は、光源としての光源装置１１、光変調装置としての３つの液晶ライトバルブ１２Ｒ，１２Ｇ，１２Ｂ、投写光学装置１３、液晶駆動部１６等で構成されている。投写部１０は、光源装置１１から射出された光を、液晶ライトバルブ１２Ｒ，１２Ｇ，１２Ｂで変調し、投写光学装置１３によって投写してスクリーンＳＣに画像を表示する。
【００６８】
光源装置１１は、超高圧水銀ランプやメタルハライドランプ等からなる放電型の光源ランプ１１ａを含んで構成されている。光源装置１１から射出された光は、図示しないインテグレーター光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ，１２Ｇ，１２Ｂに入射する。
【００６９】
液晶ライトバルブ１２Ｒ，１２Ｇ，１２Ｂは、一対の透明基板間に液晶が封入された透過型の液晶パネル等によって構成される。液晶ライトバルブ１２Ｒ，１２Ｇ，１２Ｂは、複数の画素（図示せず）がマトリックス状に配列された矩形状の画素領域１２ａを備えており、液晶に対して画素毎に駆動電圧を印加可能になっている。そして、液晶駆動部１６が、入力される画像情報に応じた駆動電圧を各画素に印加すると、各画素は、画像情報に応じた光透過率に設定される。このため、光源装置１１から射出された光は、この液晶ライトバルブ１２Ｒ，１２Ｇ，１２Ｂの画素領域１２ａを透過することにより、画像情報に応じて色光毎に変調される。変調された各色光は、図示しない色合成光学系によって合成される。
【００７０】
投写光学装置１３は、レンズ１４と、反射部としての凹面ミラー１５とを備えて構成され、液晶ライトバルブ１２Ｒ，１２Ｇ，１２Ｂによって変調された光を、凹面ミラー１５で広角化してスクリーンＳＣに投写する。
【００７１】
制御部２０は、ＣＰＵ（Central Processing Unit）２０ａと、制御プログラムや設定データ等が記憶される記憶部としての不揮発性のＲＯＭ（Read Only Memory）２０ｂと、データの一時記憶に用いられるＲＡＭ（Random Access Memory）２０ｃとを備えている。制御部２０は、コンピューターとして機能するものであり、ＣＰＵ２０ａが、ＲＯＭ２０ｂに記憶されている制御プログラムを実行し、必要な情報をＲＡＭ２０ｃに一時記憶しながら演算処理を行うことによってプロジェクター１の動作を制御する。また、ＲＯＭ２０ｂには、プロジェクター１を設置する際に利用されるガイド画像Ｐｇ（図８参照）を表示するための画像情報（ガイド画像情報）が記憶されている。
【００７２】
入力操作部２１は、ユーザーの入力操作を受け付けるものであり、ユーザーがプロジェクター１に対して各種指示を行うための複数の操作キーを備えている。ユーザーが入力操作部２１の各種操作キーを操作すると、入力操作部２１は、この操作を受け付けて、操作された操作キーに対応する制御信号を制御部２０に出力する。そして、制御部２０は、入力操作部２１から制御信号が入力されると、入力された制御信号に基づく処理を行って、プロジェクター１の動作を制御する。なお、遠隔操作が可能なリモコンを用いた構成とすることも可能であり、この場合には、リモコンも入力操作部２１に相当する。そして、リモコンがユーザーの入力操作を受け付けて、操作内容に応じた赤外線の操作信号をプロジェクター１の本体に発信すると、図示しない受信部がこれを受信して制御部２０に伝達する。
【００７３】
画像情報入力部２２は、複数の入力端子を備えており、これらの入力端子には、ビデオ再生装置やパーソナルコンピューター等、図示しない外部の画像供給装置から各種形式の画像情報が入力される。画像情報入力部２２は、入力された画像情報を画像処理部２３に出力する。
【００７４】
画像処理部２３は、画像情報入力部２２から入力される画像情報を、液晶ライトバルブ１２Ｒ，１２Ｇ，１２Ｂの各画素の階調を表す画像情報、即ち各画素に印加する駆動電圧を規定するための画像情報に変換する。ここで、変換された画像情報は、液晶ライトバルブ１２Ｒ，１２Ｇ，１２Ｂの各画素に対応する複数の画素値を含んでいる。画素値とは、対応する画素の光透過率を定めるものであり、この画素値によって、各画素から射出される光の輝度が規定される。さらに、画像処理部２３は、制御部２０の指示に基づいて、変換した画像情報に対して、明るさ、コントラスト、シャープネス、色合い等の画質を調整するための画質調整処理等を行い、処理後の画像情報を液晶駆動部１６に出力する。
【００７５】
また、画像処理部２３は、上記の画像情報の代わりに、ＲＯＭ２０ｂに記憶されているガイド画像情報を液晶駆動部１６に出力することもできる。制御部２０が、画像処理部２３にガイド画像情報を出力して、ガイド画像Ｐｇの表示を指示すると、画像処理部２３は、入力されたガイド画像情報を液晶駆動部１６に出力して、投写部１０からガイド画像Ｐｇに対応する光を投写させる。このように、画像処理部２３は、画像情報入力部２２に入力された画像情報に基づく画像（入力画像）を表示する状態と、ガイド画像情報に基づくガイド画像Ｐｇを表示する状態とを、制御部２０の指示に応じて切り換えることができる。
【００７６】
そして、液晶駆動部１６が、画像処理部２３から入力される画像情報に従って液晶ライトバルブ１２Ｒ，１２Ｇ，１２Ｂを駆動すると、光源装置１１から射出された光は、液晶ライトバルブ１２Ｒ，１２Ｇ，１２Ｂによって画像情報に応じて変調され、投写光学装置１３から投写される。
【００７７】
光源制御部２４は、制御部２０の指示に基づいて光源装置１１（光源ランプ１１ａ）の点灯を制御する。具体的には、光源制御部２４は、光源ランプ１１ａに所定の電力を供給することにより光源ランプ１１ａを点灯させるとともに、電力の供給を停止して光源ランプ１１ａを消灯させることができる。
【００７８】
電源回路２５には、外部からＡＣ１００Ｖ等の商用電源（図示せず）が供給される。電源回路２５は、商用電源（交流電源）を所定の電圧の直流電源に変換して、プロジェクター１の各部に電力を供給する（各部への供給経路については、図示を省略する）。また、電源回路２５は、制御部２０の指示に基づいて、光の投写に必要な電力（動作電力）を各部に供給する状態（電源がオンの状態）と、動作電力の供給を停止して、電源をオンにするための操作を待機する状態（スタンバイ状態）とを切り換えることができる。
【００７９】
〔プロジェクターの動作〕
プロジェクター１に商用電源が供給されると、電源回路２５は、少なくとも制御部２０及び入力操作部２１に待機電力（スタンバイ電力）の供給を行い、制御部２０は、この電力供給を受けて、制御プログラムに従った動作を開始する。商用電源が供給された直後には、プロジェクター１は、スタンバイ状態（「電源がオフの状態」ともいう。）であり、光源ランプ１１ａを消灯させた状態で、電源をオンにするための操作（オン操作）を待機する。
【００８０】
図７は、電源がオンのときのプロジェクター１の動作を説明するフローチャートである。スタンバイ状態において、ユーザーによりオン操作がなされると、制御部２０は、図７に示すフローに従って動作する。
【００８１】
図７に示すように、ステップＳ１０１では、制御部２０は、電源回路２５に指示をして、各部への動作電力の供給を開始させ、プロジェクター１の電源をオンにする。
【００８２】
ステップＳ１０２では、制御部２０は、光源制御部２４に指示をして光源装置１１（光源ランプ１１ａ）を点灯させる。そして、ステップＳ１０３では、制御部２０は、画像処理部２３に指示をして、画像情報入力部２２に入力された画像情報に対する画像処理を行わせて、この画像情報に基づく入力画像を表示させる。この結果、投写部１０から画像情報に応じた光が投写され、スクリーンＳＣに入力画像が表示される。
【００８３】
ステップＳ１０４では、制御部２０は、電源をオフにするための操作（オフ操作）が入力操作部２１に対してなされた否かを判断する。そして、オフ操作がなされていない場合にはステップＳ１０５に移行し、オフ操作がなされた場合にはステップＳ１０９に移行する。
【００８４】
オフ操作がなされずにステップＳ１０５に移行した場合には、制御部２０は、ガイド画像Ｐｇを表示するための所定の入力操作が入力操作部２１に対してなされたか否かを判断する。そして、所定の入力操作がなされた場合にはステップＳ１０６に移行し、所定の入力操作がなされていない場合にはステップＳ１０４に戻る。
【００８５】
所定の入力操作がなされてステップＳ１０６に移行した場合には、制御部２０は、画像処理部２３にガイド画像情報を出力して、ガイド画像Ｐｇの表示を指示する。そして、画像処理部２３が、制御部２０の指示に応じてガイド画像情報を液晶駆動部１６に出力すると、投写部１０からガイド画像情報に応じた光が投写され、スクリーンＳＣにガイド画像Ｐｇが表示される。
【００８６】
図８は、ガイド画像Ｐｇを示す図である。
図８に示すように、ガイド画像Ｐｇは、画素領域１２ａの全域で形成される矩形の画像であり、外周に沿った矩形の枠Ｆと、縦及び横の２本の中心線Ｌ１，Ｌ２と、直径が異なる２つの円（同心円）Ｃ１，Ｃ２とを含んでいる。２つの円Ｃ１，Ｃ２の中心は、ガイド画像Ｐｇの中心、即ち２つの中心線Ｌ１，Ｌ２の交点に一致し、直径が大きいほうの円Ｃ１は、枠Ｆの上下に接している。また、ガイド画像Ｐｇの中央よりも上側の領域には、プロジェクター１と、これを支持している状態の支持装置２を表す斜視図Ｄが描かれており、ガイド画像Ｐｇの右上の領域には、１〜６の番号（数字）が付された６つのイラストＧ１〜Ｇ６が含まれている。
【００８７】
枠Ｆ、中心線Ｌ１，Ｌ２、円Ｃ１，Ｃ２は、プロジェクター１の支持状態に応じた投写画像の傾きや変形（歪）を認識しやすくするための図形（テストパターン）であり、ユーザーは、これらの図形の形状、大きさ及び傾き等を目安にして、プロジェクター１の設置状態、即ち支持装置２による支持状態を調整することができる。
【００８８】
６つのイラストＧ１〜Ｇ６は、それぞれプロジェクター１の支持状態に関わる６つの調整項目に対応し、各調整項目を調整した場合に投写画像がどのように変化するのかを表している。
【００８９】
具体的には、１番のイラストＧ１は、プロジェクター１をＹ軸周りに回転させた場合の投写画像の変化（傾きの変化）を表し、２番のイラストＧ２は、プロジェクター１をＺ軸の周りに回転させた場合の投写画像の変化（形状の変化）を表し、３番のイラストＧ３は、プロジェクター１をＸ軸の周りに回転させた場合の投写画像の変化（形状の変化）を表している。また、４番のイラストＧ４は、プロジェクター１を±Ｘ方向にスライドさせた場合の投写画像の変化（位置の変化）を表し、５番のイラストＧ５は、プロジェクター１を±Ｙ方向にスライドさせた場合の投写画像の変化（サイズの変化）を表し、６番のイラストＧ６は、プロジェクター１を±Ｚ方向にスライドさせた場合の投写画像の変化（位置の変化）を表している。
【００９０】
６つのイラストＧ１〜Ｇ６は、それぞれ異なる色で着色されている。具体的には、イラストＧ１〜Ｇ６は、それぞれ枠で囲まれており、この枠の内側のイラストＧ１〜Ｇ６の背景がそれぞれ異なる色で着色されている。なお、イラストＧ１〜Ｇ６の背景色は、イラストＧ１〜Ｇ６を最も特徴付ける色であるため、本明細書では、この背景色のことを「イラストの色」とも表現する。
【００９１】
斜視図Ｄは、支持装置２の６つの調整項目を調整する調整操作部の位置を明示するとともに、調整操作部と調整項目（イラストＧ１〜Ｇ６）との対応を示すための説明図であり、斜視図Ｄには、各調整操作部の近傍に１〜６の番号が吹き出しによって付されている。そして、この番号は、イラストＧ１〜Ｇ６に付された番号に対応する。つまり、斜視図Ｄ上の各調整操作部には、その調整項目を表すイラストＧ１〜Ｇ６と同じ番号が付されており、この番号によって調整操作部と調整項目（イラストＧ１〜Ｇ６）との対応が示されている。具体的には、ダイヤル９６１には、Ｙ軸周りの角度を調整するための調整操作部であることを示す１番の番号が付され、ダイヤル９５１には、Ｚ軸周りの角度を調整するための調整操作部であることを示す２番の番号が付され、ダイヤル９７１には、Ｘ軸周りの角度を調整するための調整操作部であることを示す３番の番号が付されている。また、固定ネジ４３には、±Ｘ方向の位置を調整するための調整操作部であることを示す４番の番号が付され、固定ネジ４２には、±Ｙ方向の位置を調整するための調整操作部であることを示す５番の番号が付され、駆動軸５７には、±Ｚ方向の位置を調整するための調整操作部であることを示す６番の番号が付されている。
【００９２】
また、斜視図Ｄ上において、各調整操作部（ダイヤル９５１，９６１，９７１、駆動軸５７、及び固定ネジ４２，４３）は、対応するイラストＧ１〜Ｇ６の色（背景色）と同じ色で着色されるとともに、各調整操作部に付された番号も、その背景（吹き出しの内部）がイラストＧ１〜Ｇ６の色（背景色）と同じ色で着色されている。このため、調整操作部と調整項目との対応を、番号（数字）のみならず、色によっても認識可能になっている。
【００９３】
ガイド画像Ｐｇは、上記のような構成になっているため、ユーザーは、番号や色によって調整操作部とイラストＧ１〜Ｇ６とを対応を認識することにより、どの調整操作部を操作すれば、どの調整項目を調整できるのかを容易に把握することができる。また、固定ネジ４２，４３は、小さくて目立ちにくいため、固定ネジ４２，４３の周辺の領域（ガイド孔６９Ｈ、長孔８１２Ｈの内部の領域）も固定ネジ４２，４３と同じ色で着色することで、固定ネジ４２，４３の位置を分かりやすくしている。また、駆動軸５７、固定ネジ４２，４３の近傍には、操作方向や移動方向を表す矢印が付されており、この矢印も番号と同じ色で着色されている。
【００９４】
また、イラストＧ１〜Ｇ６及び斜視図Ｄに付された番号は、調整操作を行う際の順序を表しており、番号に従った順序で調整操作を行うべきであることを示している。本実施形態では、プロジェクター１の角度を調整するための操作（１番〜３番）を、プロジェクター１の位置を調整するための操作（４番〜６番）よりも先に行うようになっている。これは、プロジェクター１の角度の調整に伴って表示される画像の位置も変化してしまうため、位置の調整を先に行っても、角度の調整後に位置を調整し直す必要が生じ、作業効率が悪くなってしまうためである。
【００９５】
また、支持状態の調整作業は、一人で行ってもよいが、二人の作業者で分担して行うようにしてもよい。この場合、一人の作業者（第１の作業者）は、表示されるガイド画像Ｐｇの状態（位置や歪具合）を離れた位置で確認し、他の作業者（第２の作業者）は、プロジェクター１の下で脚立等に乗り、第１の作業者の指示に従って調整操作を行えば、作業を効率的に行うことができる。このとき、第１の作業者は、調整すべき調整項目を、番号や色によって第２の作業者に指示することができるため、作業性がさらに向上する。また、第２の作業者がプロジェクター１や支持装置２の直下よりも左側にずれた位置で作業を行うようにすれば、右側に配置されている６つのイラストＧ１〜Ｇ６を二人とも視認することができる。なお、プロジェクター１や支持装置２の直下よりも右側にずれた位置のほうが、調整操作がしやすい場合には、イラストＧ１〜Ｇ６を左側に配置したガイド画像Ｐｇを用意するようにすればよい。
【００９６】
図７に戻って、ステップＳ１０７では、制御部２０は、入力操作部２１に対して何らかの入力操作がなされたか否か、即ち入力操作部２１のいずれかの操作キーが操作されたか否かを判断する。そして、入力操作がなされた場合にはステップＳ１０８に移行し、入力操作がなされていない場合には本ステップを繰り返す。
【００９７】
何らかの入力操作がなされてステップＳ１０８に移行した場合には、制御部２０は、画像処理部２３に指示をして、ガイド画像Ｐｇの表示を停止させ、入力画像を表示する状態に復帰させて、ステップＳ１０４に戻る。
【００９８】
また、ステップＳ１０４にてオフ操作がなされてステップＳ１０９に移行した場合には、制御部２０は、光源制御部２４に指示をして光源装置１１（光源ランプ１１ａ）を消灯させる。そして、ステップＳ１１０では、制御部２０は、電源回路２５に指示をして、各部への動作電力の供給を停止させ、プロジェクター１の電源をオフにする。つまり、プロジェクター１をスタンバイ状態に移行させて、フローを終了する。
【００９９】
以上説明したように、本実施形態の画像表示装置１００によれば、以下の効果を得ることができる。
【０１００】
（１）本実施形態の画像表示装置１００によれば、プロジェクター１を支持する支持装置２が、支持状態を調整するための複数の調整操作部（固定ネジ４１，４２，４３、駆動軸５７、ダイヤル９５１，９６１，９７１）を備えている。そして、プロジェクター１は、これら調整操作部による支持状態の調整を案内するガイド画像Ｐｇを表示するため、ユーザーは、表示されるガイド画像Ｐｇを見ながら支持状態を調整することが可能となり、設置時の調整操作を容易に行うことが可能となる。
【０１０１】
（２）本実施形態の画像表示装置１００によれば、ガイド画像Ｐｇが、調整操作部の位置を明示するための斜視図Ｄを含んでいるため、操作すべき調整操作部の位置を容易に認識することが可能となる。
【０１０２】
（３）本実施形態の画像表示装置１００によれば、ガイド画像Ｐｇが、斜視図Ｄ及びイラストＧ１〜Ｇ６によって、調整操作部と調整項目との対応を示しているため、どの調整操作部を操作すれば、どの調整項目が調整されるのかを容易に認識することが可能となる。
【０１０３】
（４）本実施形態の画像表示装置１００によれば、ガイド画像Ｐｇが、調整項目を表すイラストＧ１〜Ｇ６を含んでおり、調整操作部とイラストＧ１〜Ｇ６との対応を番号（数字）や色によって示しているため、調整操作部に対応付けられている調整項目を感覚的に認識することが可能となる。
【０１０４】
（５）本実施形態の画像表示装置１００によれば、イラストＧ１〜Ｇ６が、調整項目を調整した場合の投写画像の変化を表しているため、投写画像を見ながら調整を行う場合に、調整すべき調整項目を容易に認識することが可能となる。
【０１０５】
（６）本実施形態の画像表示装置１００によれば、斜視図Ｄ内の調整操作部と、この調整操作部に対応するイラストＧ１〜Ｇ６の双方に同じ番号（数字）が付されているため、調整操作部とイラストＧ１〜Ｇ６との対応を容易に認識することが可能となる。
【０１０６】
（７）本実施形態の画像表示装置１００によれば、斜視図Ｄ内の調整操作部やイラストＧ１〜Ｇ６に付された番号が、支持状態の調整を行う際の順序を表しているため、調整の操作手順を容易に認識することが可能となる。
【０１０７】
（８）本実施形態の画像表示装置１００によれば、斜視図Ｄ内に付された番号とイラストＧ１〜Ｇ６が同じ色で着色されているため、調整操作部とイラストＧ１〜Ｇ６との対応をより容易に認識することが可能となる。
【０１０８】
（９）本実施形態の画像表示装置１００によれば、斜視図Ｄ内に示されている調整操作部とイラストＧ１〜Ｇ６が同じ色で着色されているため、調整操作部とイラストＧ１〜Ｇ６との対応をより容易に認識することが可能となる。
【０１０９】
（１０）本実施形態の画像表示装置１００によれば、プロジェクター１の支持状態に応じた投写画像の傾きや変形（歪）を認識しやすくするためのテストパターン（枠Ｆ、中心線Ｌ１，Ｌ２、円Ｃ１，Ｃ２）がガイド画像Ｐｇに含まれているため、支持状態の調整が一層容易になる。
【０１１０】
（１１）本実施形態の画像表示装置１００によれば、入力画像を表示している状態で所定の入力操作を行えば、ガイド画像Ｐｇを表示する状態に切り替わるため、調整作業を簡単に始めることが可能となる。
【０１１１】
なお、本実施形態において、ガイド画像Ｐｇを表示させる際の制御部２０及び画像処理部２３がガイド表示部に相当する。
【０１１２】
（第２実施形態）
以下、第２実施形態の画像表示装置について、図面を参照して説明する。
本実施形態の画像表示装置１００は、第１実施形態と略同一の構成を有しているが、プロジェクター１の動作が第１実施形態とは異なっている。また、本実施形態のプロジェクター１のＲＯＭ２０ｂには、プロジェクター１の起動時にガイド画像Ｐｇを自動的に表示するか否かを表す情報（ガイド画像表示情報）が記憶されており、プロジェクター１は、ガイド画像表示情報がオンの場合にガイド画像Ｐｇを表示し、ガイド画像表示情報がオフの場合にはガイド画像Ｐｇを表示しないようになっている。
【０１１３】
図９は、本実施形態において、電源がオンのときのプロジェクター１の動作を説明するフローチャートである。スタンバイ状態において、ユーザーによりオン操作がなされると、制御部２０は、図９に示すフローに従って動作する。
【０１１４】
図９に示すように、ステップＳ２０１では、制御部２０は、電源回路２５に指示をして、各部への動作電力の供給を開始させ、プロジェクター１の電源をオンにする。
【０１１５】
ステップＳ２０２では、制御部２０は、光源制御部２４に指示をして光源装置１１（光源ランプ１１ａ）を点灯させる。
【０１１６】
ステップＳ２０３では、制御部２０は、ＲＯＭ２０ｂに記憶されているガイド画像表示情報を読み出して、ガイド画像表示情報がオンかオフか、即ちガイド画像Ｐｇを自動的に表示するか否かを判断する。そして、ガイド画像表示情報がオンの場合にはステップＳ２０５に移行し、ガイド画像表示情報がオフの場合にはステップＳ２０４に移行する。
【０１１７】
ガイド画像表示情報がオフであってステップＳ２０４に移行した場合には、制御部２０は、画像処理部２３に指示をして、画像情報入力部２２に入力された画像情報に対する画像処理を行わせる。そして、この画像情報に基づく入力画像を表示させて、ステップＳ２０８に移行する。この結果、投写部１０から画像情報に応じた光が投写され、スクリーンＳＣに入力画像が表示される。
【０１１８】
一方、ガイド画像表示情報がオンであってステップＳ２０５に移行した場合には、制御部２０は、画像処理部２３にガイド画像情報を出力して、ガイド画像Ｐｇの表示を指示する。そして、画像処理部２３が、制御部２０の指示に応じてガイド画像情報を液晶駆動部１６に出力すると、投写部１０からガイド画像情報に応じた光が投写され、スクリーンＳＣにガイド画像Ｐｇが表示される。
【０１１９】
ステップＳ２０６では、制御部２０は、入力操作部２１に対して何らかの入力操作がなされたか否か、即ち入力操作部２１のいずれかの操作キーが操作されたか否かを判断する。そして、入力操作がなされた場合にはステップＳ２０７に移行し、入力操作がなされていない場合には本ステップを繰り返す。
【０１２０】
何らかの入力操作がなされてステップＳ２０７に移行した場合には、制御部２０は、画像処理部２３に指示をして、ガイド画像Ｐｇの表示を停止させ、入力画像を表示する状態に復帰させて、ステップＳ２０８に移行する。
【０１２１】
ステップＳ２０８では、制御部２０は、電源をオフにするためのオフ操作が入力操作部２１に対してなされた否かを判断する。そして、オフ操作がなされていない場合にはステップＳ２０９に移行し、オフ操作がなされた場合にはステップＳ２１１に移行する。
【０１２２】
オフ操作がなされずにステップＳ２０９に移行した場合には、制御部２０は、ガイド画像表示情報をオフにするための所定の入力操作がなされたか否かを判断する。そして、所定の入力操作がなされた場合にはステップＳ２１０に移行し、所定の入力操作がなされていない場合にはステップＳ２０８に戻る。
【０１２３】
所定の入力操作がなされてステップＳ２１０に移行した場合には、制御部２０は、ガイド画像表示情報をオフにしてＲＯＭ２０ｂに記憶し、ステップＳ２０８に戻る。これにより、次回、プロジェクター１を起動する際に、ガイド画像Ｐｇが自動で表示されることがなくなる。
【０１２４】
また、ステップＳ２０８にてオフ操作がなされてステップＳ２１１に移行した場合には、制御部２０は、光源制御部２４に指示をして光源装置１１（光源ランプ１１ａ）を消灯させる。そして、ステップＳ２１２では、制御部２０は、電源回路２５に指示をして、各部への動作電力の供給を停止させ、プロジェクター１の電源をオフにする。つまり、プロジェクター１をスタンバイ状態に移行させて、フローを終了する。
【０１２５】
以上説明したように、本実施形態のプロジェクター１によれば、以下の効果を得ることができる。
【０１２６】
本実施形態のプロジェクター１によれば、ＲＯＭ２０ｂに記憶されているガイド画像表示情報がオンの場合には、プロジェクター１の起動時（電源をオンにした時）にガイド画像Ｐｇが自動的に表示されるため、支持装置２の調整作業を効率的に行うことが可能となる。また、所定の入力操作を行うことによってガイド画像表示情報をオフにできるため、支持装置２の調整が完了し、再調整の予定がない場合には、起動時にガイド画像が自動的に表示されないようにすることもできる。特に、プロジェクター１の出荷時にガイド画像表示情報をオンにしておけば、作業者が最初にプロジェクター１を起動させたときにガイド画像Ｐｇを自動的に表示されることができ、支持装置２の調整作業を効率的に行うことが可能となる。
【０１２７】
（変形例）
なお、上記実施形態は、以下のように変更してもよい。
【０１２８】
上記実施形態では、イラストＧ１〜Ｇ６や、斜視図Ｄ内に番号（数字）を付しているが、アルファベット等、他の記号を用いるようにしてもよい。
【０１２９】
上記実施形態では、１番〜６番の順に調整するようガイド画像Ｐｇが表示されていたがプロジェクター１の角度を調整するための操作（１番〜３番）、及びプロジェクター１の位置を調整するための操作（４番〜６番）の２つにまとめて表示するようにしてもよい。プロジェクター１の角度の調整を位置の調整より先に行う必要があるが、角度、位置のそれぞれ３つの調整の順序は順序を変えても調整に大きな影響を与えないためである。
【０１３０】
上記実施形態では、壁面Ｗに固定する支持装置２について説明したが、天井や床面に固定する支持装置に適用することもできる。
【０１３１】
上記実施形態では、３つの液晶ライトバルブ１２Ｒ，１２Ｇ，１２Ｂを用いた３板式のプロジェクター１について説明したが、これに限定されない。例えば、１つの液晶ライトバルブでＲ光、Ｇ光、Ｂ光を変調可能な単板式のプロジェクター１に適用することも可能である。
【０１３２】
上記実施形態では、光変調装置として、透過型の液晶ライトバルブ１２Ｒ，１２Ｇ，１２Ｂを用いているが、反射型の液晶ライトバルブ等、反射型の光変調装置を用いることも可能である。また、入射した光の射出方向を、画素としてのマイクロミラー毎に制御することにより、光源から射出した光を変調する微小ミラーアレイデバイス等を用いることもできる。
【０１３３】
上記実施形態では、光源装置１１は、放電型の光源ランプ１１ａを備えて構成されているが、ＬＥＤ（Light Emitting Diode：発光ダイオード）光源等の固体光源や、その他の光源を用いることもできる。
【符号の説明】
【０１３４】
１…プロジェクター、２…支持装置、５…ベース部、６…第１アーム、７…第２アーム、８…保持機構、９…調整機構、１０…投写部、２０…制御部、２１…入力操作部、２２…画像情報入力部、２３…画像処理部、２４…光源制御部、２５…電源回路、４１，４２，４３…固定ネジ、５７…駆動軸、９５１，９６１，９７１…ダイヤル、１００…画像表示装置、Ｐｇ…ガイド画像、Ｆ…枠、Ｌ１，Ｌ２…中心線、Ｃ１，Ｃ２…円、Ｇ１，Ｇ２，Ｇ３，Ｇ４，Ｇ５，Ｇ６…イラスト、Ｄ…斜視図、ＳＣ…スクリーン。
【図１】
0005987280.tif 000002
【図２】
0005987280.tif 000003
【図３】
0005987280.tif 000004
【図４】
0005987280.tif 000005
【図５】
0005987280.tif 000006
【図６】
0005987280.tif 000007
【図７】
0005987280.tif 000008
【図９】
0005987280.tif 000009
【図８】
0005987280.tif 000010